(57)【特許請求の範囲】
【請求項１】
可撓性を有する長尺の回路基板と、前記回路基板に列状に実装された複数の発光部と、透光性の軟性材料から形成され前記回路基板および前記複数の発光部を覆う長尺のカバーと、を有する照明ユニットと、
透光性を有する軟性材料から長尺に形成され、内部に長手方向に沿って延在する流路が形成された本体部と、長尺であり前記本体部と連続一体に形成されるとともに、前記照明ユニットを保持する保持部と、を有する流路ユニットと、を備え、
前記保持部は、前記複数の発光部それぞれから放射される光が前記流路内へ照射される姿勢で前記照明ユニットを着脱自在に保持する、
殺菌装置。
【請求項２】
前記本体部は、
前記複数の発光部それぞれから放射される光を透過する第１部位と、
光触媒を含む材料から形成され且つ前記本体部の長手方向に沿って延在するとともに少なくとも一部が前記流路内に露出している第２部位と、を有する、
請求項１に記載の殺菌装置。
【請求項３】
前記カバーは、前記カバーの長手方向に沿って延在する溝が形成され、
前記保持部は、前記保持部の長手方向に沿って延在し前記保持部に前記照明ユニットが保持された状態で前記溝に嵌合するリブが設けられている、
請求項１または２に記載の殺菌装置。
【請求項４】
前記本体部における前記流路の内壁には、前記本体部の長手方向に沿って延在する複数の突条部が形成されている、
請求項１から３のいずれか１項に記載の殺菌装置。
【請求項５】
前記本体部は、前記流路の内壁から前記流路の中心軸に向かって突出し且つ前記本体部の長手方向に沿って延在する少なくとも１つのフィンを有する、
請求項１から４のいずれか１項に記載の殺菌装置。
【請求項６】
前記光触媒は、酸化チタンである、
請求項２に記載の殺菌装置。
【発明の詳細な説明】
【技術分野】
【０００１】
本発明は、殺菌装置に関する。
【背景技術】
【０００２】
流体に紫外光を照射することにより流体内に存在する菌類を殺菌する配管装置が提案されている（例えば特許文献１参照）。この配管装置は、円筒状であり筒軸方向に沿って複数の光透過孔が貫設された本体と、本体の内側に挿通される流路モジュールと、本体の外側に配置され本体に貫設された光透過孔を通じて流路モジュールに光を照射する複数の発光素子と、を備える。ここで、流路モジュールは、ポリカーボネート、ガラス等から形成された透明な円筒状の管体と、金属またはプラスチックから円柱状に形成され外側面に螺旋状の流路を構成する溝が形成されるとともに管体の内側に挿通されるガイド部材と、を有する。
【先行技術文献】
【特許文献】
【０００３】
【特許文献１】登録実用新案第３２２２４７５号公報
【発明の概要】
【発明が解決しようとする課題】
【０００４】
しかしながら、特許文献１に記載された配管装置は、流路モジュールがポリカーボネート、ガラス等から形成された管体と、金属またはプラスチックから形成されたガイド部材と、を有するものであり、配管装置全体を湾曲させた状態または折り曲げた状態で使用することが困難である。従って、設置できるスペースの大きさまたは形状に制約がある場合に配管装置を設置することができず、配管装置の設置場所が制限されてしまう虞がある。
【０００５】
本発明は、上記事由に鑑みてなされたものであり、設置できるスペースの大きさまたは形状に制約がある場合でも設置可能な殺菌装置を提供することを目的とする。
【課題を解決するための手段】
【０００６】
上記目的を達成するため、本発明に係る殺菌装置は、
可撓性を有する長尺の回路基板と、前記回路基板に列状に実装された複数の発光部と、透光性の軟性材料から形成され前記回路基板および前記複数の発光部を覆う長尺のカバーと、を有する照明ユニットと、
透光性を有する軟性材料から長尺に形成され、内部に長手方向に沿って延在する流路が形成された本体部と、長尺であり前記本体部と連続一体に形成されるとともに、前記照明ユニットを保持する保持部と、を有する流路ユニットと、を備え、
前記保持部は、前記複数の発光部それぞれから放射される光が前記流路内へ照射される姿勢で前記照明ユニットを着脱自在に保持する。
【発明の効果】
【０００７】
本発明によれば、流路ユニットが、透光性を有する軟性材料から長尺に形成され、内部に長手方向に沿って延在する流路が形成された本体部と、長尺であり本体部と連続一体に形成されるとともに、照明ユニットを保持する保持部と、を有する。そして、保持部が、照明ユニットの複数の発光部それぞれから放射される光が流路内へ照射される姿勢で照明ユニットを着脱自在に保持する。これにより、殺菌装置全体を湾曲させた状態または折り曲げた状態で使用することができるので、殺菌装置が設置できるスペースの大きさまたは形状に制約がある場合でも殺菌装置をそのスペースの大きさまたは形状に適合するように変形させて設置することができる。
【図面の簡単な説明】
【０００８】
【図１】本発明の実施の形態１に係る殺菌装置の斜視図である。
【図２】実施の形態１に係る殺菌装置の平面図である。
【図３】実施の形態１に係る殺菌装置について図２のＡ−Ａ線における断面矢視図である。
【図４】実施の形態２に係る殺菌装置の分解斜視図である。
【図５】実施の形態２に係る照明ユニットを示し、（Ａ）は平面図であり、（Ｂ）は斜視図である。
【図６】実施の形態２に係る殺菌装置の断面図である。
【図７】実施の形態２に係る流路ユニットの断面図である。
【発明を実施するための形態】
【０００９】
（実施の形態１）
以下、本発明の実施の形態に係る殺菌装置について添付図面を参照しながら説明する。本実施の形態に係る殺菌装置は、流体に紫外光を照射することにより流体内に存在する菌類を殺菌するものであり、可撓性を有する長尺の回路基板と、回路基板に列状に実装された複数の発光部と、透光性を有する軟性材料から長尺に形成され、内部に長手方向に沿って延在する流路が形成された本体部と、を備える。そして、回路基板が、本体部の内部における流路の外側に複数の発光部それぞれから放射される光が流路内へ照射される姿勢で流路に沿って配置されている。
【００１０】
図１に示すように、殺菌装置１は、可撓性を有する長尺板状の回路基板２１と、複数（図１では６つ）の発光部２２と、本体部１１と、を備える。また。殺菌装置１は、図２に示すように、回路基板２１に発光部２２とともに実装され、発光部２２へ供給される電流を制限するための限流素子２３と、発光部２２へ電流を供給するための導電線１３と、本体部１１の長手方向における両端部に装着されたキャップ１２と、を備える。殺菌装置１は、導電線１３を介して直流電源（図示せず）に接続される。
【００１１】
回路基板２１は、例えばＦＰＣ（Flexible Printed Circuits）から構成されており、導体パターン（図示せず）が形成されている。また、回路基板２１の長手方向における両端部には、導電線１３に電気的に接続される電極２１１が設けられている。なお、複数の回路基板２１が、それらの長手方向に沿って並列に配置される場合、互いに隣り合う２つの回路基板２１同士が、電極２１１を介して互いに電気的に接続される。
【００１２】
発光部２２は、例えばＳＭＤ（Surface Mount Device）タイプＬＥＤ（Light Emitting Diode）発光装置から構成される。発光部２２は、矩形板状であり厚さ方向における一面側に平面視円形の凹部２２ｃが形成された発光部本体２２ｂと、凹部２２ｃの底部に配設された発光素子２２ａと、凹部２２ｃに充填された透光性部材２２ｄと、を有する。発光素子２２ａとしては、２００ｎｍ以上３８０ｎｍ以下の波長帯域の紫外光を放射するＬＥＤ素子が採用される。透光性部材２２ｄは、例えば２００ｎｍ以上３８０ｎｍ以下の波長帯域の光に対して透明なシリコーン樹脂から形成されている。複数の発光部２２は、回路基板２１に等間隔に列状に実装されている。発光部２２の発光素子２２ａは、回路基板２１に形成された導体パターンを介して、互いに直列または並列に接続されている。限流素子２３は、回路基板２１に形成された導体パターンに介挿され、発光素子２２ａに流れる電流を予め設定された大きさに制限する。直流電源から導電線１３および導電パターンを通じて発光素子２２ａに電流が流れると、発光素子２２ａが点灯する。なお、複数の発光部２２が、前述の紫外光を放射する発光部２２と、可視光の波長帯域の光を放射する発光部２２と、の２種類の発光部２２から構成されていてもよい。この場合、可視光の波長帯域の光を放射する発光部２２は、発光部本体２２ｂの凹部２２ｃに色変換部材が充填されたものを採用することができる。ここで、色変換部材は、例えば黄色蛍光体を含む透光性を有する樹脂から形成されている。
【００１３】
本体部１１は、図１および図２に示すように、長尺であり、透光性を有する軟性材料から形成されている。軟性材料としては、透光性を有する熱硬化性のポリウレタン樹脂、シリコーン樹脂等を採用することができる。本体部１１の内部には、本体部１１の長手方向に沿って延在する流路Ｃ１が形成されている。流路Ｃ１の内径は、例えば８ｍｍ程度に設定することができる。また、本体部１１には、図３に示すように、本体部１１の内部における流路Ｃ１よりも−Ｚ方向側において流路Ｃ１に沿って延在し内側に発光部２２が配置される空隙Ｃ２が形成されている。また、本体部１１は、発光部２２から放射される光に対して透明な第１部位１１１と、光触媒を含む透光性材料から形成された第２部位１１２と、を有する。光触媒としては、例えば酸化チタン（ＴｉＯ２）を採用することができる。第１部位１１１および第２部位１１２は、いずれも、本体部１１の長手方向に沿って延在している。第２部位１１２は、一部が流路Ｃ１内に露出している。また、第１部位１１１は、少なくとも本体部１１における複数の発光部２２と流路Ｃ１との間に介在する複数の発光部２２の回路基板２１の厚さ方向への投影領域Ａ１を含んでいる。これにより、複数の発光部２２から放射される光が、第１部位１１１を透過して流路Ｃ１を流れる流体および流路Ｃ１の内壁に露出した第２部位１１２に照射される。
【００１４】
また、本体部１１における流路Ｃ１の内壁には、本体部１１の長手方向に沿って延在する複数の突条部１１２ａが形成されている。更に、本体部１１は、流路Ｃ１の内壁から流路Ｃ１の中心軸Ｊ１に向かって突出し且つ本体部１１の長手方向に沿って延在する２つのフィン１１３を有する。ここで、２つのフィン１１３は、それぞれ、光触媒を含む材料から形成されており、第２部位１１２と連続一体となっている。更に、本体部１１の第１部位１１１のＸ軸方向における両側には、互いに近づく方向へ窪みＹ軸方向に沿って延在する凹部１１１ｂが形成されている。
【００１５】
ここで、回路基板２１は、図１に示すように、本体部１１の内部における流路Ｃ１の外側、即ち、−Ｚ方向側に６つの発光部それぞれから放射される光が流路Ｃ１内へ照射される姿勢で流路Ｃ１に沿って配置されている。また、回路基板２１の短手方向の両端部が、本体部１１に埋設した状態で空隙Ｃ２内に配置されている。なお、回路基板２１が複数存在し、空隙Ｃ２内において、複数の回路基板２１がそれらの長手方向に沿って並列に配置されているものであってもよい。この場合、複数の回路基板２１は、電極２１１を介して互いに電気的に接続すればよい。また、この場合、本体部１１の長さは、例えば３ｍ乃至４ｍ程度に設定することができる。
【００１６】
キャップ１２は、例えば透光性を有する樹脂材料から有底角筒状に形成されている。キャップ１２の底壁には、導電線１３を導出するための導出孔１２ａが設けられている。キャップ１２は、本体部１１の第１部位１１１の長手方向における両端部に固定されている。
【００１７】
なお、本実施の形態に係る殺菌装置１が複数存在する場合、複数の殺菌装置１がそれらの長手方向に沿って並列に配置されているものであってもよい。この場合、複数の殺菌装置１は、互いに隣り合う殺菌装置１の本体部１１の流路Ｃ１に嵌合する管継ぎ手（図示せず）を介して連結することができる。
【００１８】
以上説明したように、本実施の形態に係る殺菌装置１によれば、本体部１１が、透光性を有する軟性材料から長尺に形成され、回路基板２１が、可撓性を有し、本体部１１の内部における流路Ｃ１の外側に配置されている。これにより、殺菌装置１全体を湾曲させた状態または折り曲げた状態で使用することができるので、殺菌装置１が設置できるスペースの大きさまたは形状に制約がある場合でも殺菌装置１をそのスペースの大きさまたは形状に適合するように変形させて設置することができる。また、本実施の形態に係る殺菌装置１は、回路基板２１および複数の発光部２２と本体部１１とが一体となっているので、全体としてシンプルな構成とすることができる。
【００１９】
また、本実施の形態に係る第２部位１１２は、本体部１１の外側に露出している。これにより、例えば殺菌装置１を屋外で使用する場合、第２部位１１２の表面に太陽光に含まれる紫外線が照射されることにより第２部位１１２の表面に付着した汚れが分解される。このため、第２部位１１２の表面への汚れの付着が抑制されるという利点もある。
【００２０】
更に、本実施の形態に係る本体部１１は、光触媒を含む透光性材料から形成され且つ本体部１１の長手方向に沿って延在するとともに、一部が流路Ｃ１内に露出している第２部位１１２を有する。これにより、第２部位１１２における流路Ｃ１に露出した部分において流路Ｃ１を流れる流体中に含まれる菌が効率良く分解される。
【００２１】
また、本実施の形態に係る本体部１１における流路Ｃ１の内壁には、本体部１１の長手方向に沿って延在する複数の突条部１１２ａが形成されている。また、本体部１１は、流路Ｃ１の内壁から流路Ｃ１の中心軸Ｊ１に向かって突出し且つ本体部１１の長手方向に沿って延在する２つのフィン１１３を有する。これにより、流路Ｃ１を流れる流体と第２部位１１２との接触面積を増加させることができるので、その分、流体中に含まれる菌を効率良く分解することができる。
【００２２】
（実施の形態２）
本実施の形態に係る殺菌装置１は、照明ユニットと、流路ユニットと、を備え、流路ユニットが照明ユニットに着脱自在に装着される。ここで、流路ユニットは、透光性を有する軟性材料から長尺に形成され、内部に長手方向に沿って延在する流路が形成された本体部と、長尺であり本体部と連続一体に形成されるとともに照明ユニットを保持する保持部と、を有する。また、照明ユニットは、可撓性を有する長尺の回路基板と、回路基板に列状に実装された複数の発光部と、透光性の軟性材料から形成され回路基板および複数の発光部を覆う長尺のカバーと、を有する。そして、保持部が、照明ユニットの複数の発光部それぞれから放射される光が流路内へ照射される姿勢で照明ユニットを着脱自在に保持する。
【００２３】
本実施の形態に係る殺菌装置１は、図４に示すように、照明ユニット２０１と、流路ユニット２０２と、照明ユニット２０１を流路ユニット２０２に固定するための固定部材２０３と、を備える。照明ユニット２０１は、図５（Ａ）および（Ｂ）に示すように、可撓性を有する長尺の回路基板２１と、複数の発光部２２と、発光部２２に流れる電流を制限するための限流素子２３と、可撓性を有する長尺なカバー２０１１と、を備える。また、照明ユニット２０１は、発光素子２２へ電流を供給するための導電線１３と、カバー２０１１の長手方向における両端部に装着されカバー２０１１内を密閉するキャップ１２と、を備える。なお、図５（Ａ）および（Ｂ）において、実施の形態１と同様の構成については図１および図２と同一の符号を付している。
【００２４】
カバー２０１１は、透光性の軟性材料から略角筒状に形成されている。軟性材料としては、透光性を有する熱硬化性のポリウレタン樹脂やシリコーン樹脂等を採用することができる。回路基板２１および複数の発光部２２は、カバー２０１１の内側に配置されている。回路基板２１の短手方向における両端部は、カバー２０１１に埋設されている。また、カバー２０１１は、その外壁の角部に、その長手方向に沿ってテーパ面が形成されている。また、カバー２０１１の＋Ｚ方向側の外壁には、カバー２０１１の長手方向に沿って延長された溝２０１１ａが設けられている。
【００２５】
流路ユニット２０２は、図４に示すように、透光性を有する軟性材料から長尺に形成され、内部に長手方向に沿って延在する流路が形成された本体部２２１と、長尺であり本体部２２１と連続一体に形成されるとともに照明ユニットを保持する保持部２２２と、を有する。本体部２２１および保持部２２２は、透光性を有する軟性材料から形成されている。軟性材料としては、透光性を有する熱硬化性のポリウレタン樹脂、シリコーン樹脂等を採用することができる。
【００２６】
本体部２２１は、その内部に本体部２２１の長手方向に沿って延在する流路Ｃ２１が形成されている。また、本体部２２１は、照明ユニット２０１の発光部２２から放射される光に対して透明な第１部位２２１１と、光触媒を含む透光性材料から形成された第２部位２２１２と、を有する。ここで、第１部位２２１１は、照明ユニット２０１が流路ユニット２０２に保持された状態で、少なくとも本体部２２１における照明ユニット２０１と流路Ｃ１との間に介在する照明ユニット２０１の複数の発光部２２の回路基板２１の厚さ方向への投影領域Ａ２を含んでいる。これにより、照明ユニット２０１の複数の発光部２２から放射される光が、カバー２０１１および流路ユニット２０２の本体部２２１の第１部位１１１を透過して流路Ｃ２１を流れる流体および流路Ｃ２１の内壁に露出した第２部位２２１２に照射される。第１部位２２１１および第２部位２２１２は、いずれも、本体部２２１の長手方向に沿って延在している。第２部位２２１２は、一部が流路Ｃ１内に露出している。また、本体部２２１における流路Ｃ１の内壁には、図４および図６に示すように、本体部２２１の長手方向に沿って延在する複数の突条部２２１２ａが形成されている。また、本体部２２１における保持部２２２側には、保持部２２２の長手方向に沿って延在し保持部２２２に照明ユニット２０１が保持された状態で照明ユニット２０１のカバー２０１１の溝２０１１ａに嵌合するリブ２２１１ａが設けられている。更に、本体部２２１には、固定部材２０３の一部が係止される突出部２２１１ｂと、段部２２１１ｃと、が設けられている。
【００２７】
保持部２２２は、本体部２２１の−Ｘ方向側の端部における本体部２２１の長手方向全体から−Ｚ方向側へ延出する長尺の矩形板状の第１延出片２２２１と、第１延出片２２２１における−Ｚ方向側の端部から＋Ｘ方向へ延出する長尺の矩形板状の第２延出片２２２２と、第２延出片２２２２の＋Ｘ方向側の端部から＋Ｚ方向側へ立ち上がる立ち上げ片２２２３と、を有する。第２延出片２２２２は、図７の矢印ＡＲ３に示すように、第１延出片２２２１側の端部を支点として立ち上げ片２２２３が本体部２２１側に近づくように付勢されている。これにより、図４および図６に示すように、照明ユニット２０１は、流路ユニット２０２の本体部２２１と保持部２２２の第２延出片２２２２との間に配置された状態で、本体部２２１と第２延出片２２２２とで挟持された状態となる。このとき、本体部２２２１のリブ２２１１ａが、照明ユニット２０１のカバー２０１１に設けられた溝２０１１ａに嵌入され、立ち上げ片２２２３が照明ユニット２０１の＋Ｘ方向側の側方に配置された状態となる。これにより、照明ユニット２０１が、＋Ｘ方向側から保持部２２２の外方へ離脱することが抑制される。一方、保持部２２２の第２延出片２２２２を−Ｚ方向側へ撓ませることにより、照明ユニット２０１を保持部２２２から離脱させることができる。このようにして、保持部２２２は、照明ユニット２０１の複数の発光部２２それぞれから放射される光が流路ユニット２０２の流路Ｃ２１内へ照射される姿勢で照明ユニット２０１を着脱自在に保持する。
【００２８】
固定部材２０３は、長尺の矩形板状の主片２３１と、長尺の矩形板状であり主片２３１の短手方向における両端部それぞれから主片２３１の厚さ方向に沿った一方向、即ち、＋Ｚ方向側へ延出する一対の挟持片２３２と、一対の挟持片２３２それぞれにおける主片２３１側とは反対側の端部から互いに近づく方向へ突出したフック２３３と、を有する。固定部材２０３は、図４の矢印ＡＲ２に示すように、照明ユニット２０１が流路ユニット２０２に保持された状態で、−Ｚ方向側から流路ユニット２０２に近づけて流路ユニット２０２に嵌め込む。固定部材２０３が流路ユニット２０２に嵌め込まれた状態では、図６に示すように、フック２３３が流路ユニット２０２の本体部２２１の突出部２２１１ｂの＋Ｚ方向側と段部２２１１ｃとに係止された状態となる。
【００２９】
以上説明したように、本実施の形態に係る殺菌装置２によれば、流路ユニット２０２の保持部２２２が、照明ユニット２０１の複数の発光部２２それぞれから放射される光が流路Ｃ２１内へ照射される姿勢で照明ユニット２０１を着脱自在に保持する。これにより、例えば照明ユニット２０１が故障した場合に照明ユニット２０１のみを交換すれば殺菌装置２の使用を継続することができるので、殺菌装置２の長寿命化を図ることができる。
【００３０】
以上、本発明の各実施の形態について説明したが、本発明は前述の各実施の形態の構成に限定されるものではない。例えば、実施の形態１に係る殺菌装置１において、本体部１１が突条部１１２ａとフィン１１３との少なくとも一方が設けられていない構成であってもよい。また、実施の形態２に係る殺菌装置２において、流路ユニット２０２の本体部２２１が、突条部２２１２ａの無い構成であってもよいし、或いは、フィン（図示せず）が設けられた構成であってもよい。
【００３１】
実施の形態１では、本体部１１が、本体部１１の内部に空隙Ｃ２が形成されている例について説明したが、これに限らず、本体部１１の内部に流路Ｃ１のみが形成されており、回路基板２１および発光部２２が、本体部１１の第１部位に埋設されているものであってもよい。
【００３２】
実施の形態１において、本体部１１の第２部位１１２が、光触媒とともに蛍光材料を含有するものであってもよい。この場合、殺菌装置１は、照明装置として機能することができる。特に、第２部位１１２が、光触媒として機能する酸化チタン（ＴｉＯ２）の微粒子を含有する場合、この酸化チタンの微粒子が光拡散剤として機能する。このため、複数の発光部２２から放射される光が、第２部位１１２を透過する際、酸化チタンの微粒子により拡散される。このため、複数の発光部２２が点灯している状態で、殺菌装置１を＋Ｚ方向側から見たときに、複数の発光部２２がいわゆるドットとして見えてしまうことを抑制できる。
【００３３】
各実施の形態では、導電線１３が殺菌装置１の本体部１１または照明ユニット２０１の長手方向における片端部のみから導出されている例について説明したが、これに限らず、導電線が、殺菌装置１の本体部１１または照明ユニット２０１の長手方向における両端部それぞれから導出している構成であってもよい。
【００３４】
以上、本発明の各実施の形態および変形例について説明したが、本発明はこれらに限定されるものではない。本発明は、実施の形態および変形例が適宜組み合わされたもの、それに適宜変更が加えられたものを含む。
【産業上の利用可能性】
【００３５】
本発明の殺菌装置は、医療分野、食品加工分野における流体中に含まれる菌類を殺菌することにより流体の浄化、消臭を行う用途として好適である。
【符号の説明】
【００３６】
１，２：殺菌装置、１１，２２１：本体部、１２：キャップ、１２ａ：導出孔、１３：導電線、２１：回路基板、２２：発光部、２２ａ：発光素子、２２ｂ：発光部本体、２２ｃ：凹部、２２ｄ：透光性部材、２３：限流素子、１１１，２２１１：第１部位、１１２，２２１２：第２部位、１１２ａ，２２１２ａ：突条部、１１３：フィン、２０１：照明ユニット、２０２：流路ユニット、２０３：固定部材、２１１：電極、２２２：保持部、２３１：主片、２３２：挟持片、２３３：フック、２０１１：カバー、２０１１ａ：溝、２２１１ａ：リブ、２２１１ｂ：突出部、２２１１ｃ：段部、２２２１：第１延出片、２２２２：第２延出片、２２２３：立ち上げ片、Ａ１，Ａ２：投影領域、Ｃ１，Ｃ２１：流路、Ｃ２：空隙、Ｊ１：中心軸
【要約】
【課題】設置できるスペースの大きさまたは形状に制約がある場合でも設置可能な殺菌装置を提供する。
【解決手段】殺菌装置１は、可撓性を有する長尺の回路基板２１と、回路基板２１に列状に実装された複数の発光部２２と、透光性を有する軟性材料から長尺に形成され、内部に長手方向に沿って延在する流路Ｃ１が形成された本体部１１と、を備える。そして、回路基板２１は、本体部１１の内部における流路Ｃ１の外側に複数の発光部２２それぞれから放射される光が流路Ｃ１内へ照射される姿勢で流路Ｃ１に沿って配置されている。
【選択図】図１【図１】
0006906259.tif 000002
【図２】
0006906259.tif 000003
【図３】
0006906259.tif 000004
【図４】
0006906259.tif 000005
【図５】
0006906259.tif 000006
【図６】
0006906259.tif 000007
【図７】
0006906259.tif 000008